(57)【特許請求の範囲】
【請求項１】
上部フレームに回動可能に連結された跳ね上げ側壁が、組立状態では、前記上部フレームから垂下して底壁と係合し、折畳状態では、内側に折り畳まれる折り畳み容器において、
前記底壁には、平板状のベース壁と、前記ベース壁の外縁部から起立し且つ前記組立状態で前記跳ね上げ側壁の下端部に外側から対向する底部対向壁と、が備えられ、
前記跳ね上げ側壁の下面から下方に突出し、前記跳ね上げ側壁の幅方向から見て山状をなし、その頂点部が前記跳ね上げ側壁の外面寄りに位置して、前記頂点部より外側の外側傾斜面より内側の内側傾斜面が広い係合突部が設けられ、
前記ベース壁の上面には、前記組立状態で前記内側傾斜面と平行になって前記外側傾斜面及び前記内側傾斜面の両方に下方から対向し、前記跳ね上げ側壁が上方から負荷を受けたときに前記内側傾斜面と摺接する底壁側傾斜部が形成されている折り畳み容器。
【請求項２】
前記底壁側傾斜部と前記内側傾斜面とは、前記組立状態で前記折り畳み容器の内外方向から見たときに重ねて配置されるオーバーラップ部を有する請求項１に記載の折り畳み容器。
【請求項３】
前記ベース壁の上面には、前記係合突部を受容する係合凹部が設けられ、
前記係合凹部の底面を前記底壁側傾斜部とした請求項１又は２に記載の折り畳み容器。
【発明の詳細な説明】
【技術分野】
【０００１】
本発明は、上部フレームに回動可能に連結された跳ね上げ側壁が、組立状態では、上部フレームから垂下して底壁と係合し、折畳状態では、内側に折り畳まれる折り畳み容器に関する。
【背景技術】
【０００２】
従来、この種の折り畳み容器として、跳ね上げ側壁のうち組立状態で底壁と対向する側壁底面に係合突部が設けられ、この係合突部が底壁の上面に形成された係合凹部と係合するものが知られている（例えば、特許文献１参照）。
【先行技術文献】
【特許文献】
【０００３】
【特許文献１】特開平０９−２２１１３０号公報（段落［００２１］、図５）
【発明の概要】
【発明が解決しようとする課題】
【０００４】
しかしながら、上述した従来の折り畳み容器では、組立状態で跳ね上げ側壁に上方から荷重がかかったときに、跳ね上げ側壁の反りや寸法誤差等の影響によって、係合突部と係合凹部の係合が外れ、組立状態が解除されるという問題があった。また、例えば、組立状態における跳ね上げ側壁の反り若しくは寸法誤差、跳ね上げ側壁へ外側から作用する負荷、又は、折り畳み容器の組立が不完全であること等により、係合突部と係合凹部の係合が不十分である場合にも、跳ね上げ側壁に上方から負荷がかかったときに、係合突部と係合凹部の係合が外れて、組立状態が解除されるという問題があった。
【０００５】
本発明は、上記事情に鑑みてなされたもので、跳ね上げ側壁に上方から荷重がかかっても組立状態を保持することが可能な折り畳み容器の提供を目的とする。
【課題を解決するための手段】
【０００６】
上記目的を達成するためになされた請求項１の発明は、上部フレームに回動可能に連結された跳ね上げ側壁が、組立状態では、前記上部フレームから垂下して底壁と係合し、折畳状態では、内側に折り畳まれる折り畳み容器において、前記底壁には、平板状のベース壁と、前記ベース壁の外縁部から起立し且つ前記組立状態で前記跳ね上げ側壁の下端部に外側から対向する底部対向壁と、が備えられ、前記跳ね上げ側壁の下面から下方に突出し、前記跳ね上げ側壁の幅方向から見て山状をなし、その頂点部が前記跳ね上げ側壁の外面寄りに位置して、前記頂点部より外側の外側傾斜面より内側の内側傾斜面が広い係合突部が設けられ、前記ベース壁の上面には、前記組立状態で前記内側傾斜面と平行になって前記外側傾斜面及び前記内側傾斜面の両方に下方から対向し、前記跳ね上げ側壁が上方から負荷を受けたときに前記内側傾斜面と摺接する底壁側傾斜部が形成されている折り畳み容器である。
【０００７】
請求項２の発明は、前記底壁側傾斜部と前記内側傾斜面とは、前記組立状態で前記折り畳み容器の内外方向から見たときに重ねて配置されるオーバーラップ部を有する請求項１に記載の折り畳み容器である。
【０００８】
請求項３の発明は、前記ベース壁の上面には、前記係合突部を受容する係合凹部が設けられ、前記係合凹部の底面を前記底壁側傾斜部とした請求項１又は２に記載の折り畳み容器である。
【発明の効果】
【０００９】
［請求項１の発明］
請求項１の発明では、ベース壁の上面に設けられた底壁側傾斜部が、ベース壁の外縁部から起立して跳ね上げ側壁の下端部に外側から対向する底部対向壁に向かって下るように傾斜している。また、跳ね上げ側壁のうち組立状態でベース壁と対向する面には、底部対向壁側へ下るように傾斜して、組立状態で跳ね上げ側壁が上方から負荷を受けたときに底壁側傾斜部と摺接する内側傾斜面が設けられている。従って、組立状態で跳ね上げ側壁に上方から荷重がかかると、内側傾斜面が底壁側傾斜部と摺接することで跳ね上げ側壁の下端部が底部対向壁側へと移動し、跳ね上げ側壁が内側に折り畳まれることが抑制される。これにより、折り畳み容器を組立状態に保持することが可能となる。
また、本発明によれば、折り畳み容器を折畳状態から組立状態にする際の跳ね上げ側壁の回動をスムーズに行うことが可能となる。
【００１０】
［請求項２の発明］
請求項２の発明によれば、跳ね上げ側壁に折り畳み容器の外側から力が作用しても、底壁側傾斜部及び内側傾斜面のオーバーラップ部同士が接触して、跳ね上げ側壁が折り畳まれることが抑制される。
【図面の簡単な説明】
【００１２】
【図１】本発明の一実施形態に係る折り畳み容器の斜視図
【図２】折畳状態における折り畳み容器の斜視図
【図３】底壁の斜視図
【図４】底壁のサイド突部周辺の斜視図
【図５】跳ね上げ側壁を外側から見た斜視図
【図６】跳ね上げ側壁の下端部を内側下方から見た斜視図
【図７】側壁係合突部の斜視図
【図８】側壁係合突部の側面図
【図９】底壁及び跳ね上げ側壁の側断面図
【図１０】図９における側壁係合突部周辺の拡大図
【発明を実施するための形態】
【００１３】
以下、本発明の一実施形態を図１〜図１０に基づいて説明する。本実施形態の折り畳み容器１０は、樹脂の成形品であって、図１に示すように、矩形状の底壁１１と、底壁１１と略同じ大きさの矩形枠状をなす上部フレーム２０と、底壁１１と上部フレーム２０との間を連絡する側壁１０Ｓと、を備えている。そして、折り畳み容器１０は、側壁１０Ｓが折り畳まれることで、図１に示す組立状態から、図２に示す折畳状態となる。
【００１４】
図３に示すように、底壁１１は、矩形状のベース壁１２の外縁部から底部カバー壁１３が起立した構造になっている。ベース壁１２は、図９に示す下駄部１２Ａを下面に備えている。この下駄部１２Ａは、複数のリブ１２Ｌの周囲を包囲壁１２Ｈで囲んだ構造をなし、ベース壁１２の外縁部を除いた略全体に亘って形成されている。
【００１５】
図３に示すように、底部カバー壁１３は、底壁１１の長辺部１１Ａ，１１Ａに位置する底部長辺側壁１３Ａ，１３Ａと、底壁１１の短辺部１１Ｂ，１１Ｂに位置する底部短辺側壁１３Ｂ，１３Ｂと、からなる。また、底壁１１の長辺部１１Ａには、ベース壁１２から上方に突出した長辺支持突起１１ＡＴが設けられている。なお、長辺支持突起１１ＡＴの高さは、底部長辺側壁１３Ａよりも低くなっている。
【００１６】
底部短辺側壁１３Ｂの中央部からは係止突部１４が水平内側に突出している。係止突部１４は、略直方体のブロック状をなし、ベース壁１２との間に隙間を有している。なお、本実施形態では、係止突部１４は、底部短辺側壁１３Ｂの一部を内側へ袋状に突出させることで形成され、係止突部１４の内側部分には、底壁１１を持ち上げる指を挿入するための指掛凹部１５が形成されている。また、底部短辺側壁１３Ｂの外面には、指掛凹部１５の開口下端縁からベース壁１２の下面まで延びたガイド溝１６が形成されている。これにより、ガイド溝１６を案内にして、指又はアームを指掛凹部１５へ誘導することが可能となる。
【００１７】
底壁１１の短辺部１１Ｂのうち係止突部１４の両脇には、ベース壁１２の一部を上方に隆起させてなる補助突部１７Ｔ，１７Ｔが形成され、これら補助突部１７Ｔ，１７Ｔの裏側（下面側）に補助指掛凹部１７Ａ，１７Ａが形成されている。この補助指掛凹部１７Ａには、指掛凹部１５に挿入される指又はアームとは別の指又はアームが引っ掛けられる。
【００１８】
また、図３に示すように、ベース壁１２の短辺部分の両側部には、サイド突部７１，７１が形成されている。このサイド突部７１は、平面視矩形状をなしてベース壁１２の隅部から短辺方向に延在し、底部短辺側壁１３Ｂに連絡している。図４に拡大して示すように、サイド突部７１の上面７１Ｍには、底壁係合凹部７２が形成されている。底壁係合凹部７２の底面は、底部短辺側壁１３Ｂへ向かって下るように傾斜し、本発明に係る底壁側傾斜部７３を構成する。なお、底壁係合凹部７２は、サイド突部７１のうちベース壁１２の隅部から離れた側の端部に配置されている。また、サイド突部７１は、補助突部１７Ｔと同様に、ベース壁１２の一部を上方に隆起させることで形成されている（図９参照）。
【００１９】
図１に示すように、上部フレーム２０は、天井壁２１の内縁部と外縁部とから内側対向壁２２と外側対向壁２３とが垂下した溝構造になっていて、外側対向壁２３は、内側対向壁２２より下方に延ばされている。外側対向壁２３は、上部フレーム２０の周方向全体に亘って同じ高さになっている。また、上部フレーム２０の短辺部２０Ｂにおける内側対向壁２２の高さは、長辺部２０Ａの内側対向壁２２の高さよりも低くなっていて、短辺部２０Ｂにおける内側対向壁２２の下端は、長辺部２０Ａにおける内側対向壁２２の下端より上方に配置されている。なお、短辺部２０Ｂにおける外側対向壁２３の中央部には、折り畳み容器１０が図２に示す折畳状態から図１に示す組立状態へ移行するときに、上部フレーム２０を持ち上げる指を引っ掛けるための上部指掛凹部２３Ａが形成されている。
【００２０】
図１に示すように、側壁１０Ｓは、底壁１１の短辺部１１Ｂ，１１Ｂと上部フレーム２０の短辺部２０Ｂ，２０Ｂとの間を連絡する１対の跳ね上げ側壁３０，３０と、底壁１１の長辺部１１Ａ，１１Ａと上部フレーム２０の長辺部２０Ａ，２０Ａとの間を連絡する１対の折り曲げ側壁６０，６０と、からなる。
【００２１】
図１に示すように、折り曲げ側壁６０は、上下方向の中央で上側分割側壁６１と下側分割側壁６５とに２分割されている。上側分割側壁６１は、枠状の主板壁６２と、主板壁６２の内側に配置される透明プレート６３と、で構成されている。上側分割側壁６１の上端部は、上部フレーム２０の各長辺部２０Ａ，２０Ａに回動可能に連結されている。具体的には、上側分割側壁６１の上端部には、上部フレーム２０の長辺部２０Ａに形成された長辺支持突起２０ＡＴの間に配置される回動突部６１Ｔが形成され、この回動突部６１Ｔが長辺支持突起２０ＡＴに回動可能に連結されている。
【００２２】
また、下側分割側壁６５も上側分割側壁６１と同様の構成になっていて、下側分割側壁６５の下端部は、底壁１１の各長辺部１１Ａ，１１Ａに回動可能に連結されている。具体的には、下側分割側壁６５の下端部に備えられた図示しない回動突部が、底壁１１の長辺部１１Ａに形成された長辺支持突起１１ＡＴ（図３参照）の間に配置されると共に、その長辺支持突起１１ＡＴに回動可能に連結されている。
【００２３】
上側分割側壁６１と下側分割側壁６５とは、複数のヒンジ部Ｈによって回動可能に連結されている。そして、跳ね上げ側壁３０，３０を折り畳んだ状態で、各折り曲げ側壁６０が内側に２つ折りにされると、上側分割側壁６１と下側分割側壁６５の外面同士が重ね合わされると共に上部フレーム２０と底壁１１とが互いに接近し、折り畳み容器１０が折畳状態になる（図２参照）。また、通常は、折り曲げ側壁６０，６０は、起立状態の跳ね上げ側壁３０，３０に当接して２つ折りが規制され、折り畳み容器１０が組立状態に保持されている。
【００２４】
図５に示すように、跳ね上げ側壁３０は、上側分割側壁６１と同様に、枠状の主板壁３１と、主板壁３１の内側に配置される透明プレート３２と、で構成されている。また、跳ね上げ側壁３０の上端部には、複数の回動突部３０Ｔが形成されている。回動突部３０Ｔは、図１に示すように、上部フレーム２０の短辺部２０Ｂに形成された短辺支持突起２０ＢＴの間に配置されると共に、短辺支持突起２０ＢＴに回動可能に連結される。これにより、跳ね上げ側壁３０が上部フレーム２０の短辺部２０Ｂに回動可能に連結される。なお、上部フレーム２０において跳ね上げ側壁３０の回動中心は、上述した上側分割側壁６１の回動中心より上方に位置しており、跳ね上げ側壁３０は折畳状態になると折り曲げ側壁６０の上方に退避する。
【００２５】
跳ね上げ側壁３０の下縁中央部には、外側に開口し、且つ、組立状態において上述した底壁１１の係止突部１４を受容する下縁係止孔４０が形成されている。下縁係止孔４０は横長矩形状をなし、下縁係止孔４０内には、係止突部１４と係止する側壁側係止部５０が下縁係止孔４０の幅方向に対をなして備えられている。
【００２６】
図６に示すように、跳ね上げ側壁３０のうち組立状態で底壁１１と対向する側壁底面３０Ｍには、下縁係止孔４０の両脇に位置する補助係合凹部４５，４５が形成されると共に、補助係合凹部４５，４５との間に挟まれた中央突部４６が形成されている。また、側壁底面３０Ｍの両側部には、跳ね上げ側壁３０の下端縁を陥没させてなるサイド凹部４７，４７が形成されると共に、補助係合凹部４５とサイド凹部４７とに挟まれたサイド中間突部４８が形成されている。
【００２７】
図７に示すように、サイド凹部４７の奥面４７Ｍからは、側壁係合突部８１が突出している。側壁係合突部８１は、図８に示すように、跳ね上げ側壁３０の幅方向から見て略三角形状をなし、側壁係合突部８１の下面８１Ｍが、頂点部８１Ａよりも折り畳み容器１０の内側（図８の左側）に位置して折り畳み容器１０の外側へ向かって下るように傾斜する内側傾斜面８２と、頂点部８１Ａより折り畳み容器１０の外側に位置して折り畳み容器１０の外側へ向かって上るように傾斜する外側傾斜面８３と、を有している。なお、側壁係合突部８１は、図７に示すように、サイド凹部４７のうち跳ね上げ側壁３０の幅方向中央側の端部に配置されている。
【００２８】
図１に示すように、跳ね上げ側壁３０の下端部は、底壁１１の底部短辺側壁１３Ｂに内側から当接すると共に、跳ね上げ側壁３０の側縁部は、折り曲げ側壁６０の側縁部から跳ね上げ側壁３０側に直角曲げされた側部ストッパ壁６０Ｓに内側から当接する。これにより、跳ね上げ側壁３０が底壁１１から直立した起立状態になる。
【００２９】
跳ね上げ側壁３０が起立状態になると、底壁１１の係止突部１４（図３参照）が、跳ね上げ側壁３０の下縁係止孔４０（図５参照）に係止する。また、側部ストッパ壁６０Ｓ（図１参照）から水平内側に突出した図示しない係止爪が跳ね上げ側壁３０の側縁部に形成された係止孔３０Ｋ（図５参照）内に係止する。これにより、跳ね上げ側壁３０が起立状態に保持される。そして、跳ね上げ側壁３０の下端部を内側に押し込むように押圧又は殴打することで、係止突部１４と側壁側係止部５０の係止及び図示しない係止爪と係止孔３０Ｋの係止が解除されて跳ね上げ側壁３０が上部フレーム２０の下端部に収まった折畳状態になる。
【００３０】
本実施形態の折り畳み容器１０では、組立状態で、底壁１１のサイド突部７１（図４参照）が跳ね上げ側壁３０のサイド凹部４７（図６参照）に受容される。そして、図９に示すように、サイド凹部４７の奥面４７Ｍから突出する側壁係合突部８１が、サイド突部７１に形成された底壁係合凹部７２に受容される。このとき、底壁係合凹部７２の底壁側傾斜部７３と側壁係合突部８１の内側傾斜面８２とは、互いに平行に配置され、内側傾斜面８２は、跳ね上げ側壁３０が上方から荷重を受けたときに、底壁側傾斜部７３と摺接して、折り畳み容器１０の外側に移動する。なお、図９の例では、内側傾斜面８２は、底壁側傾斜部７３に近接配置され、底壁側傾斜部７３との間に隙間を有している。
【００３１】
図１０には、図９における底壁側傾斜部７３及び内側傾斜面８２が拡大して示されている。上述の如く、側壁係合突部８１は底壁係合凹部７２に受容され、底壁側傾斜部７３と内側傾斜面８２とには、折り畳み容器１０の内外方向で重ねて配置されるオーバーラップ部８７（図１０では、２本の一点鎖線に挟まれた部分）が設けられている。これにより、跳ね上げ側壁３０に折り畳み容器１０の外側から力が作用しても、底壁側傾斜部７３及び内側傾斜面８２のオーバーラップ部８７，８７同士の接触により、跳ね上げ側壁３０の折り畳みを抑制することが可能となる。
【００３２】
本実施形態に係る折り畳み容器１０の構成に関する説明は以上である。なお、本実施形態では、底壁１１の底部短辺側壁１３Ｂが本発明の「底部対向壁」に相当する。また、側壁係合突部８１が本発明の「係合突部」に相当し、底壁係合凹部７２が本発明の「係合凹部」に相当する。
【００３３】
次に、折り畳み容器１０の作用効果について説明する。本実施形態の折り畳み容器１０では、組立状態で、底壁１２の短辺部から起立した底部短辺側壁１３Ｂが跳ね上げ側壁３０の下端部に外側から対向する。ここで、本実施形態では、ベース壁１２の上面には、底部短辺側壁１３Ｂ側へ下るように傾斜する底壁側傾斜部７３が形成されると共に、跳ね上げ側壁３０の側壁底面３０Ｍには、底部短辺側壁１３Ｂ側へ下るように傾斜して、組立状態で跳ね上げ側壁３０が上方から負荷を受けたときに底壁側傾斜部７３と摺接する内側傾斜面８２が設けられている。従って、組立状態で跳ね上げ側壁３０に上方から荷重がかかると、内側傾斜面８２が底壁側傾斜部７３と摺接することで、跳ね上げ側壁３０の下端部が底部短辺側壁１３Ｂ側へと移動し、跳ね上げ側壁３０が内側に折り畳まれることが抑制される。これにより、折り畳み容器を組立状態に保持することが可能となる。
【００３４】
また、本実施形態では、底壁側傾斜部７３と内側傾斜面８２とに、折り畳み容器１０の内外方向で重ねて配置されるオーバーラップ部８７が設けられているので、跳ね上げ側壁３０に折り畳み容器１０の外側から力が作用しても、オーバーラップ部８７，８７同士の接触により、跳ね上げ側壁３０の折り畳みを抑制することが可能となる。さらに、本実施形態では、側壁係合突部８１の下面８１Ｍの一部が内側傾斜面８２になっているので、下面８１Ｍの全体が内側傾斜面８２になっている場合と比較して、オーバーラップ部８７の面積を小さくすることが可能となり、跳ね上げ側壁３０が回動する際のオーバーラップ部８７，８７同士の干渉の影響を抑えることが可能となる。また、本実施形態の構成では、外側傾斜面８３を案内にして、底壁１１のサイド突部７１をサイド凹部４７に受容させることが可能となり、跳ね上げ側壁３０の回動（詳細には、起立状態への移行）をスムーズに行うことが可能となる。
【００３５】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００３６】
（１）上記実施形態では、底壁側傾斜部７３と内側傾斜面８２とが、底壁１１の短辺部１１Ｂの端部と跳ね上げ側壁３０の幅方向の端部とに配置されていたが、短辺部１１Ｂの中間部と跳ね上げ側壁３０の幅方向の中間部とに配置されてもよい。また、底壁１１の短辺部１１Ｂの全体に底壁側傾斜部７３を形成すると共に、跳ね上げ側壁３０の側壁底面３０Ｍの全体に内側傾斜面８２を形成した構成であってもよい。
【００３７】
（２）上記実施形態では、内側傾斜面８２が跳ね上げ側壁３０に２つ備えられていたが、１つだけ備えられてもよいし、３つ以上備えられてもよい。
【００３９】
（３）組立状態において、通常は、サイド凹部４７にサイド突部７１が受容されず、跳ね上げ側壁３０に上方から負荷がかかったときに、サイド凹部４７にサイド突部７１が受容される構成としてもよい。なお、本構成では、底壁側傾斜部７３と内側傾斜面８２とには、オーバーラップ部８７が備えられなくなる。
【００４０】
（４）上記実施形態では、組立状態で、内側傾斜面８２が底壁側傾斜部７３との間に隙間を有する構成であったが、底壁側傾斜部７３と当接する構成であってもよい。
【符号の説明】
【００４２】
１０    折り畳み容器
１１    底壁
１２    ベース壁
１３Ｂ    底部短辺側壁（底部対向壁）
２０    上部フレーム
３０    跳ね上げ側壁
３０Ｍ    側壁底面
７２    底壁係合凹部（係合凹部）
７３    底壁側傾斜部
８１    側壁係合突部（係合突部）
【図１】
0006615477.tif 000002
【図２】
0006615477.tif 000003
【図３】
0006615477.tif 000004
【図４】
0006615477.tif 000005
【図５】
0006615477.tif 000006
【図６】
0006615477.tif 000007
【図７】
0006615477.tif 000008
【図８】
0006615477.tif 000009
【図９】
0006615477.tif 000010
【図１０】
0006615477.tif 000011